(57)【要約】【課題】より立体感を感じさせて缶の商品価値をより高めることができ、しかも容易に製作することもできる。【解決手段】缶本体２の表面には、凹４が形成されると共に、線５が設けられている。凹４は、缶本体２の胴体部２ａにエンボス加工を施すことで形成されたものであって、所定の幅をもって高さ方向に沿い若干斜めに形成される。膨出円弧部４ａと凹状円弧部４ｂとからなる凹４は、胴体部２ａの周方向に沿い所望の間隔を隔てて断続的に繰り返し設けられる。凹４は、胴体部２ａの上部から下方に至るに従って深さが漸減する形状をなす。線５は、例えば上下互い違いにして周方向に沿って連続する山形形状の曲線をなしている。【選択図】  図２
2005075354.tif 000002
【特許請求の範囲】
【請求項１】
胴体部の表面に、凹又は凸が形成されると共に、線又は帯が設けられた缶本体であって、
前記線又は帯が山形形状の曲線をなすと共に、該山形形状の曲線が一方向に揃えられた状態で胴体の高さ方向に複数設けられ、
前記凹又は凸は、胴体部の高さ方向に向けて長尺状に形成されていることを特徴とする缶本体。
【請求項２】
請求項１記載の缶本体において、
前記凹又は凸は、側方に膨出する膨出円弧部と、該膨出円弧部と反対方向に膨出する形状をなす凹状円弧部とが胴体部の高さ方向に連設された形状をなしていることを特徴とする缶本体。
【請求項３】
請求項１又は２記載の缶本体において、
前記凹又は凸は、缶の上部から下方に至るに従って深さ又は高さが漸減する形状をなしていることを特徴とする缶本体。
【請求項４】
請求項１から３のいずれか記載の缶本体において、
前記凹又は凸と前記線又は帯との模様が、前記胴体部の周方向に設けられていることを特徴とする缶本体。
【請求項５】
胴体部の表面に、凹又は凸が形成されると共に、線又は帯が設けられた缶本体であって、
前記線又は帯が山形形状になっていて、かつ該山形形状の頂部が一方向に突出するように揃えられた状態で胴体部の高さ方向に複数形成されており、
前記凹又は凸が矩形をなしており、該矩形の凹又は凸の隣接する二辺が、前記山形形状の頂部を挟む二辺に沿って形成されていることを特徴とする缶本体。
【請求項６】
胴体部の表面に、凹又は凸が形成されると共に、線又は帯が設けられた缶本体であって、
前記線又は帯は、格子をなしており、
前記凹又は凸は、格子に対応する矩形をなしていて前記各格子の枠内に並列的に設けられており、
前記各格子の枠内には、前記凹又は凸を取り囲むと共に多重の矩形線が設けられ、
前記互いに隣り合う四組の格子の中央部に、前記凹又は凸と同形状をなす凹又は凸が同姿勢で設けられると共に、該凹又は凸が、前記多重の矩形線のうち、最も小さい矩形線と対応する大きさの矩形をなす包囲線で包囲されていることを特徴とする缶本体。
【請求項７】
請求項５又は６記載の缶本体において、
前記線又は帯と前記凹又は凸とからなる模様が、胴体部の周方向に亘って設けられていることを特徴とする缶本体。
【請求項８】
請求項１から７のいずれか記載の缶本体の開口部周縁に缶蓋が取り付けられていることを特徴とする缶。
【発明の詳細な説明】
【０００１】
【発明の属する技術分野】
この発明は、有底円筒形状に形成された缶本体の胴体部の表面に凹又は凸が設けられた缶本体及び缶に関する。
【０００２】
【従来の技術】
近年、清涼飲料水等を充填する缶においては、需用者に対してその商品に識別力を持たせたり購買意欲を喚起させるために、様々な文字や図形等を施したり、缶本体胴体部に凹凸を施したりすることが行われている（例えば、特許文献１参照。）。
【０００３】
【特許文献１】
特許第２９３２００６号明細書
【０００４】
【発明が解決しようとする課題】
ところで、この種の缶においては、文字、図形、凹凸により缶表面に立体感をもたせ、これによって上記の購買意欲を喚起せたり当該缶の商品価値を高めることができるのであるが、上記従来の缶は、かかる立体感を主として凹凸により生じさせるようにしているため、得られる立体感も僅かなものであり、より深さのある凹又はより高さのある凸を設けようとすると、胴体部が極めて薄肉に形成されていることから破断するおそれがあり、立体感をより高めることに限界があって、缶の価値をいっそう高めることが困難な問題があった。
また、特許文献１に開示されている缶も、表面に凹部又は凸部が設けられているだけであり、より立体感をより高め、かつ缶の商品価値を高めることが困難であった。
【０００５】
この発明は、このような事情を考慮してなされたもので、その目的は、立体感をより高めることができて缶の商品価値をいっそう高めることができ、しかも容易に製作することのできる缶本体及び缶を提供することにある。
【０００６】
【課題を解決するための手段】
上記目的を達成するために、この発明は以下の手段を提案している。
請求項１に係る発明は、胴体部の表面に、凹又は凸が形成されると共に、線又は帯が設けられた缶本体であって、前記線又は帯が山形形状の曲線をなすと共に、該山形形状の曲線が一方向に揃えられた状態で胴体の高さ方向に複数設けられ、前記凹又は凸は、胴体部の高さ方向に向けて長尺状に形成されていることを特徴とする。
【０００７】
この発明に係る缶本体によれば、胴体部の表面に凹又は凸と線又は帯とがそれぞれ設けられ、しかも線又は帯が山形形状の曲線をなしてあって揃えられた状態で胴体部の高さ方向に複数設けられているので、凹又は凸と線又は帯とを組み合わせることで缶本体の表面に立体感を容易に表現することができ、単純な円筒形状の缶本体であっても、視覚上複雑な形態とすることができる。これにより、複雑な形態を与えることで立体感を容易に表現することができるので、それだけ商品価値を高めることができ、複雑な形態を有する缶本体を容易に製作することができる。
【０００８】
請求項２に係る発明は、請求項１記載の缶本体において、前記凹又は凸は、側方に膨出する膨出円弧部と、該膨出円弧部と反対方向に膨出する形状をなす凹状円弧部とが胴体部の高さ方向に連設された形状をなしていることを特徴とする。
この発明に係る缶本体によれば、需用者が缶の上部側を持った場合、うっかりすると滑り落とすおそれがあるものの、凹又は凸が膨出円弧部と凹状円弧部とが高さ方向に連設された形状であるので、需用者の指が上部側で滑ることがあっても、胴体部の下部側に引き掛かりやすくなり、需用者が滑り落とすのを極力防ぐ役目を果たすことができる。
【０００９】
請求項３に係る発明は、請求項１又は２記載の缶本体において、前記凹又は凸は、胴体部の上部から下方に至るに従って深さ又は高さが漸減する形状をなしていることを特徴とする。
この発明に係る缶本体によれば、上部側の凹又は凸が下方側の凹又は凸より深さ又は高さが大きくなっているので、胴体部の上部側を持った場合、指が凹又は凸に引き掛かる度合いを大きくすることができ、滑り落とすのを防ぐ役目を果たすことができる共に、いっそう複雑な形態の缶を得ることができる。
【００１０】
請求項４に係る発明は、請求項１から３のいずれか記載の缶本体において、前記凹又は凸と前記線又は帯との模様が、前記胴体部の周方向に設けられていることを特徴とする。
この発明に係る缶本体によれば、凹又は凸と線又は帯とが、胴体部の周囲に亘って設けられることで、一方から見た場合に限られることがなくなり、缶本体の周囲任意の方向から見ても商品価値が高まるばかりでなく、滑り落とし防止効果を良好に果たすこともできる。
【００１１】
請求項５に係る発明は、胴体部の表面に、凹又は凸が形成されると共に、線又は帯が設けられた缶本体であって、前記線又は帯が山形形状になっていて、かつ該山形形状の頂部が一方向に突出するように揃えられた状態で胴体部の高さ方向に複数形成されており、前記凹又は凸が矩形をなしており、該矩形の凹又は凸の隣接する二辺が、前記山形形状の頂部を挟む二辺に沿って形成されていることを特徴とする。
【００１２】
この発明に係る缶本体によれば、胴体部の表面に凹又は凸と線又は帯とがそれぞれ設けられ、しかも線又は帯が山形形状の曲線をなしてあって揃えられた状態で胴体部の高さ方向に複数設けられているので、凹又は凸と線又は帯とを組み合わせることで缶本体の表面に立体感を容易に表現することができ、単純な円筒形状の缶本体であっても、視覚上複雑な形態とすることができる。これにより、複雑な形態を与えることで立体感を容易に表現することができるので、それだけ商品価値を高めることができ、複雑な形態を有する缶本体を容易に製作することができる。
【００１３】
請求項６に係る発明は、胴体部の表面に、凹又は凸が形成されると共に、線又は帯が設けられた缶本体であって、前記線又は帯は、格子をなしており、前記凹又は凸は、前記格子に対応する矩形をなしていて前記各格子の枠内に並列的に設けられており、前記各格子の枠内には、前記凹又は凸を取り囲むと共に、多重の矩形線が設けられ、前記互いに隣り合う四組の格子の中央部に、前記凹又は凸と同形状をなす凹又は凸が同姿勢で設けられると共に、該凹又は凸が、前記多重の矩形線のうちの最も小さい矩形線と対応する大きさの矩形をなす包囲線で包囲されていることを特徴とする。
【００１４】
この発明に係る缶本体によれば、缶本体の胴体部に、線又は帯を組み合わせることで形成された格子と、その格子の中に設けられた凹又は凸と、更に格子内に前記凹又は前記凸を取り囲んで設けられた多重の矩形線と、隣り合う格子の中央部に設けられた前記凹又は前記凸と、その凹又は凸を取り囲む包囲線とを設けることで構成されたので、より複雑な形態の缶本体を容易に製作することができる。
【００１５】
請求項７に係る発明は、請求項５又は６記載の缶本体において、前記線又は帯と前記凹又は凸とからなる模様とが、胴体部の周方向に亘って設けられていることを特徴とする。
この発明に係る缶本体によれば、凹又は凸と線又は帯とが、胴体部の周囲に亘って設けられることで、一方から見た場合に限られることがなくなり、缶本体の周囲任意の方向から見ても商品価値が高まるばかりでなく、滑り落とし防止効果を良好に果たすこともできる。
【００１６】
請求項８に係る発明は、請求項１から７のいずれか記載の缶本体の開口部周縁に缶蓋が取り付けられていることを特徴とする。
この発明に係る缶によれば、複雑な形態を感じさせて商品価値をより高めると共に、滑り落とし防止効果が得られ、しかも略均一の肉厚であっても、内圧の大きさ対する剛性の高い缶を容易に製作することもできる。
【００１７】
【発明の実施の形態】
以下、図面を参照し、この発明の実施の形態について説明する。図１から図４はこの発明の第１の実施の形態に係る缶を示す図であって、図１は缶の正面図、図２は缶本体の胴体部に設けられた凹及び線を示す拡大説明図、図３は缶本体の胴体部に各層が順次積層された状態を示す説明用断面図、図４は図１のＡ−Ａ線に沿う半断面図である。
図１に示す缶１は、例えばアルミニウム若しくはその合金等からなる金属板に、絞り加工しごき加工を施すことで有底筒状の缶本体２が形成され、この缶本体２の上部が、上端の開口部に向かうに従って段階的に順次縮径されると共に、その開口部に缶蓋３が巻締められることで、所望の容量の内容物を充填できる大きさの缶１が形成される。
ここで、缶本体２は、水平方向に切断したときの上下方向各部の基準となる断面形状が正円形状とされており、この基準となる正円形状に後述する凹４（後述する第２〜第４の実施の形態の場合は凹４１、４２、４３）が付加的に形成された形状となっている。
このような缶本体の胴体部２ａの下部は、下方に向かうに従い漸次縮径して形成され、その底部の周囲に缶本体２を載置するときの設置部とされるノーズ部２ｂが設けられ、このノーズ部２ｂの外周の底が缶１の底面をなしている。
【００１８】
缶本体２の表面には、周囲より凹んだ部分である凹４が形成されると共に、線５が描かれている。凹４は、図１に示すように、缶本体２の胴体部２ａにエンボス加工を施すことで形成されたものであって、図２（ａ）に示すように、ある所定の幅をもって高さ方向に向けて若干斜めになるように形成されており、この凹４を例えば右側から見た場合、円弧状に膨らむ膨出円弧部４ａと、その膨出円弧部４ａと反対方向に凹む円弧状をなす凹状円弧部４ｂとが缶本体２の高さ方向に沿い連設された形状をなしている。
【００１９】
また、上記膨出円弧部４ａと凹状円弧部４ｂとからなる凹４は、胴体部２ａの周方向に沿い所望の間隔を隔てて断続的に繰り返して設けられている。更に、このような凹４は、図４に示すように、缶本体２の上部から下方に至るに従って深さが漸減する形状をなしており、そのため、缶本体２の上部側の凹４の深さに比べ、下側の凹４の深さが小さくなっていて上下方向で深さが微妙に異なっている。
【００２０】
一方、線５は、例えば図１に示すように上下互い違いにして周方向に向けて連続する山形形状の曲線をなしている。即ち、山形形状の線５は、図２（ｂ）に示すように、谷側５ａとこれに周方向に連続するように設けられた山側５ｂとからなる曲線をなしている。しかも山形形状の線５は、山側５ｂ及び谷側５ａを上下方向に揃えて胴体部２ａの高さ方向に略等間隔で複数設けられている。
【００２１】
このような形状の線５は、缶本体２の製作時、例えば図３に示すように、胴体部２ａの表面にポリエステル系樹脂等のように弾性係数が比較的低い材料からなるサイズコート層（又はベースコート層）２１が形成された後、そのサイズコート層２１の表面にインク層２２が設けられることで形成される。
【００２２】
そして、インク層２２が形成された後、更に胴体部２ａの表面には、インク層２２及びサイズコート層２１を覆うようにオーバーバーニッシュ層２３が形成され、これによってインク層２２の剥がれや胴体部２ａを形成する金属板の腐食の発生を抑制できるようになっている。なお、オーバーバーニッシュ層２３としては、例えばポリイミド／アミノ系樹脂、ポリエステル／アクリル系樹脂等の弾性係数が比較的高い材料により形成されている。
【００２３】
この実施形態の缶１は、上述のように、胴体部２ａの表面にサイズコート層（又はベースコート層）２１と、インク層２２と、オーバーバーニッシュ層２３とが順次積層された三層構造となっているが、それ以上の積層構造であってもよく、またそれらの具体的材質は、上記に拘わらず、他のもので構成されてもよいのは勿論である。
なお、缶１には、上記のように胴体部２ａの表面だけでなく、缶本体２及び缶蓋３の内面にも耐食性を確保するための塗膜が形成されている。
【００２４】
この実施形態の缶１は、上記のように、缶本体２の胴体部２ａの表面に、凹４が形成されると共に線５が設けられ、しかも線５が山形形状の曲線をなしてあって、山側５ｂ及び谷側５ａをそれぞれ上下方向に揃えた状態で胴体部２ａの高さ方向に複数設けられているので、凹４と線５とを組み合わせることで缶本体２の表面に立体感を容易に表現することができ、また単純な円筒形状の缶本体２であっても、視覚上複雑な形態とすることができる。
【００２５】
従って、凹又は凸だけを設けた従来の缶に比較すると、凹４と線５との組み合わせによって複雑な形態を与えて立体感を容易に表現することができるので、それだけ商品価値を高めることができ、複雑な形態を有する缶本体２及び缶１を容易に製作することができる。
【００２６】
また、以下の作用効果も奏することができる。
即ち、缶１に充填される内容物として、例えばビールや炭酸飲料水等のように内容物の種類によっては缶内圧が高くなるので、胴体部２ａを形成する際、その内圧に耐える大きさの強度に製作する必要がある。しかしながら、上述したように凹４が胴体部２ａの周方向に複数設けられると、それだけ胴体部２ａの強度（剛性）を上げることができ、そのため、缶１の内圧が上昇してもそれに耐えることができ、略均一な肉厚であっても、内圧の大きさに対する剛性の高い缶本体２及び缶１を容易に製作することもできる。
【００２７】
更に、需用者が胴体部２ａの上部側を持った場合、うっかりすると滑り落とすおそれがあるものの、凹４が膨出円弧部４ａと凹状円弧部４ｂとを胴体部２ａの高さ方向に連設された形状であって、互いに反対方向に曲がった形状をなしているので、需用者の指が上部側で滑ったとしても胴体部２ａの下部側に引き掛かりやすくなり、需用者が滑り落とすのを極力防ぐ役目を果たすことができる。
【００２８】
しかも、凹４が胴体部２ａの上方側から下方側に至るに従って深さが漸減しているので、つまり、上方側の凹４が下方側の凹４の深さより大きくなっているので、缶の上部を持った場合、指が凹４に引き掛かる度合いが大きくなり、これによっても需用者が滑り落とすのを防ぐことができるばかりでなく、上方側と下方側とで視覚上の微妙な差異を持たせることができ、いっそう複雑な形態の缶本体２及び缶１が得られる。
それに加え、上記凹４と線５とからなる模様が胴体部２ａの周方向に向けて設けられているので、胴体部２ａを一方から見た場合に限られることがなく、周囲任意の方向から見ても缶本体２及び缶１の商品価値が高まるばかりでなく、滑り落とし防止効果を良好に果たすこともできる。
【００２９】
図５から図７は、この発明の第２の実施の形態に係る缶を示している。
この実施形態の缶１にも、図５に示すように、凹４と線５１とがそれぞれ設けられている。
即ち、凹４は、缶本体２の胴体部２ａの表面に膨出円弧部４ａと凹状円弧部４ｂとからなる凹４（図２（ａ）参照）が形成され、その凹４が図７に示すように缶本体２の上部から下方に至るに従って深さが漸減する形状をなしており、従って、第１の実施形態と同様に形成されている。
【００３０】
この実施形態において、前記第１の実施形態と異なるのは、線５１の形状が異なる点にある。
即ち、この場合の線５１は、図６に示すように、谷側５１ａと山側５１ｂとが緩やかな形状の山形形状をなしており、その緩やかな山形形状が上下互い違いにして周方向に向けて連続する形状をなし、しかもそれら連続する山形形状が胴体部２ａの高さ方向に略等間隔に設けられることで、凹４と交差した状態で一定の規則をもって胴体部２ａの高さ方向に配列されている。
【００３１】
この実施形態によれば、凹４と緩やかな山形形状の線５１とがそれぞれ一定の規則に従って複数設けられているので、基本的には第１の実施形態と同様の作用効果が得られる。また、凹４が第１の実施形態と全く同様であるものの、上述のように線５１の形状を変更するだけで、第１の実施形態の缶とは違った視覚上の効果が得られることから、線５１の形状を変更だけでも缶本体２及び缶１の種類を多くすることができ、それだけデザイン上の裕度を大きくすることができる。
【００３２】
図８から図１０は、この発明の第３の実施の形態に係る缶を示している。
この缶１も、図８に示すように、凹４１と、線５２とが一定の規則に基づいて複数設けられている。
即ち、この缶１は、缶本体２の胴体部２ａの表面に、図９（ａ）に示すように、真四角である矩形をなす凹４１が斜め４５度に傾いた形態で上下方向に向け等間隔に複数設けられると共に、図８に示すように胴体部２ａの周方向にも複数設けられている。この場合の凹４１も、図１０に示すように、胴体部２ａの上部から下方に至るに従って深さが漸減する形状をなしている。
【００３３】
線５２は、上方向に膨出するように折曲した形状、例えば図９（ｂ）に示すように隣り合う二辺５２ｂと５２ｃとが互いに直角となることで、直角の頂部５２ａが上方を向く山形形状に形成されてあって、胴体部２ａの高さ方向に向け等間隔で複数設けられている。この場合、山形形状の線５２の頂部５２ａを挟む二辺５２ｂ、５２ｃの角度に沿うように前記凹４１の隣接する二辺４１ｂ、４１ｃが設けられており、特に図８に示す胴体部２ａの中央部においては、線５２の頂部５２ａと凹４１の頂部４１ａ（図９（ａ）参照）とが一致した状態で設けられている。
【００３４】
この実施形態によれば、上方に突出させてなる山形形状の線５２が設けられると共に、その線５２の頂部５２ａを挟む二辺５２ｂ、５２ｃに沿うように矩形の凹４１が形成され、その上、凹４１が胴体部２ａの上方側から下方側に至るに従い深さを漸次減少しているので、基本的には前述した第１及び第２の実施形態と同様の作用効果が得られ、またこれら第１及び第２の実施形態とは異なる複雑な形態の缶本体２及び缶１を容易に製作することができる。
【００３５】
なお、この実施形態では、凹４１が、矩形として真四角の形状に形成されているため、山形形状の隣り合う二辺５２ｂ、５２ｃが互いに直角に形成された例を示したが、例えば、凹４１として、隣り合う二辺４１ｂ、４１ｃがそれぞれ１２０度の角度であって、その一辺と隣り合う他の一辺との交差角度が６０度となるような、いわゆる菱形の形状の場合には、それぞれに対応する角度の曲線となる線に形成すればよく、いずれにしろ、頂部５２ａを挟む二辺５２ｂ、５２ｃに沿うように凹４１の角度が一致していればよい。
【００３６】
図１１から図１３は、この発明の第４の実施の形態に係る缶を示している。
この実施形態において、前記第１〜第３の実施形態と異なるのは、格子をなす線５３と、その線５３の格子内に設けられた凹４２とを有して構成されている。以下は、線５３によって形成される格子を「格子６」と称して説明する。
【００３７】
この格子６は、図１２に示すように、線５３が４５度の角度で斜めに傾斜して互いに交差方向に設けられることで形成されており、胴体部２ａの表面に設けられている。凹４２は、上記格子６より小さくなっていてそれに対応する形状の矩形をなしており、その中心が格子６の中心部に一致した状態で格子６と同姿勢で設けられることで、格子６の枠内に同姿勢で並列的に形成されている。
また、各格子６の枠内には、凹４２を取り囲むように二重の矩形線５４、５５が設けられている。この二重の矩形線５４、５５も各格子６の中心部を中心として格子６及び凹４２と同姿勢で設けられている。
【００３８】
このような各格子６のうち、互いに隣り合う四組の格子６の中央部、例えば図１２に示す四組からなる格子６の中央部Ｘには凹４２と略同形状の凹４３（斜線にて示す部分）が設けられている。以下、凹４３を「中央凹４３」と称す。
このような中央凹４３も、前記凹４２と同姿勢で設けられている。そして、中央凹４３は、二重の矩形線５４、５５のうち、最も小さい矩形線５４と対応する大きさの矩形をなす包囲線５６によって包囲されている。
【００３９】
そして、これら各格子６と、凹４２と、中央凹４３と二重の矩形線５４、５５と包囲線５６との模様が胴体部２ａの周囲に沿ってそれぞれ設けられることで、缶１が構成されている。従って、図１２に図示されている四組の格子６の周囲にも同様にして、各格子６と凹４２と中央凹４３と二重の矩形線５４、５５と包囲線５６との模様が設けられることとなる。
【００４０】
この実施形態によれば、缶本体２の胴体部２ａに、線５３を組み合わせることで形成された格子６と、その格子６の中に設けられた凹４２と、更に格子６内に凹４２を取り囲んで設けられた二重の矩形線５４、５５と、隣り合う格子６の中央部Ｘに設けられた中央凹４３と、その中央凹４３を取り囲む包囲線５６とを設けることで構成されたので、前述した第１〜第３の実施形態に比較すると、より複雑な形態の缶本体２及び缶１を容易に製作することができる。
このような缶本体２は、二重の矩形線５４、５５のみならず、それ以上の多重の矩形線にすることもできる。
【００４１】
なお、上記の実施の形態では、いずれも、缶本体２の表面よりも若干凹んで形成された凹４、４１、４２（中央凹４３）が設けられた例を示したが、それとは逆に凸として形成しても同様の作用効果を得ることができるのは勿論であり、また凹若しくは凸のみならず、凹と凸を交互に設けることであってもよく、更には線が複数設けられた例を示したが、線に限らず、帯状に形成しても同様の作用効果が得られる。
このように、この発明による缶本体は、その表面に凹又は凸を形成し、更に線又は帯を設けたものであるが、これらの凹又は凸、線又は帯は、立体感を明瞭・顕著に得るとともに缶本体の特性を劣化させないために、所定の寸法関係をもって設けることが望ましい。
例えば、上記の各実施の形態において、凹４、４１、４２、４３は、その深さが０．１ｍｍ〜０．４ｍｍの範囲であることが望ましい。０．１ｍｍ以下では立体感が乏しくなり、０．４ｍｍ以上では凹加工時に缶内面の塗膜を傷つけ、耐食性を低下させてしまうからである。また、線５、５１、５２、５３については、線と線との間隔が、０．５ｍｍ〜５ｍｍの範囲にあることが望ましい。０．５ｍｍ以下にすると線模様が不明瞭となって各線が重なって見え、この結果立体感が感じられなくなるからであり、また、５ｍｍを超えると各線が意匠的に独立した存在となり、この場合もまた立体感が乏しくなるからである。
【００４２】
【発明の効果】
以上説明したように、請求項１に係る発明によれば、胴体部の表面に設けられた凹又は凸と線又は帯とをそれぞれ組み合わせることで、缶本体の表面に立体感を容易に表現することができ、単純な円筒形状の缶本体であっても、視覚上複雑な形態とすることができる結果、それだけ商品価値を高めることができ、複雑な形態を有する缶本体を容易に製作できるという効果が得られる。
【００４３】
請求項２に係る発明によれば、凹又は凸が膨出円弧部と凹状円弧部とが高さ方向に連設された形状であるので、需用者が缶本体を滑り落とすのを極力防ぐ役目を果たすことができるという効果が得られる。
【００４４】
請求項３に係る発明によれば、上部側の凹又は凸が下方側の凹又は凸より深さ又は高さが大きくなっているので、需用者が滑り落とすのを防ぐ役目を果たすことができる共に、いっそう複雑な形態の缶を得ることができるという効果が得られる。
【００４５】
請求項４に係る発明によれば、凹又は凸と線又は帯とが、胴体部の周囲に亘って設けられることで、一方から見た場合に限られることがなくなり、缶本体の周囲任意の方向から見ても商品価値が高まるばかりでなく、滑り落とし防止効果を良好に果たすこともできるという効果が得られる。
【００４６】
請求項５に係る発明によれば、胴体部の表面に凹又凸と線又は帯とがそれぞれ設けられ、しかも線又は帯が山形形状の曲線をなしてあって揃えられた状態で胴体部の高さ方向に複数設けられているので、単純な円筒形状の缶本体であっても、視覚上複雑な形態とすることができる結果、商品価値を高めることができ、請求項１〜４とは異なる複雑な形態を有する缶本体を容易に製作することができるという効果が得られる。
【００４７】
請求項６に係る発明によれば、缶本体の胴体部に、線又は帯を組み合わせることで形成された格子と、その格子の中に設けられた凹又は凸と、更に格子内に凹又凸を取り囲んで設けられた多重の矩形線と、隣り合う格子の中央部に設けられた凹又は凸と、該凹又は凸を取り囲む包囲線とを設けることで構成されたので、請求項１〜５とは異なったより複雑な形状の缶本体を容易に製作することができるという効果が得られる。
【００４８】
請求項７に係る発明によれば、凹又は凸と線又は帯とが、胴体部の周囲に亘って設けられることで、一方から見た場合に限られることがなくなり、缶本体の周囲任意の方向から見ても商品価値が高まるばかりでなく、滑り落とし防止効果を良好に果たすこともできるという効果が得られる。
【００４９】
請求項８に係る発明によれば、商品価値をより高めると共に、滑り落とし防止効果が得られ、しかも略均一の肉厚であっても、内圧の大きさ対する剛性の高い缶を容易に製作することもできるという効果が得られる。
【図面の簡単な説明】
【図１】この発明の第１の実施の形態に係る缶を示す正面図である。
【図２】（ａ）は缶本体の胴体部に設けられた凹を示す拡大説明図、（ｂ）は同じく胴体部に設けられた線を示す拡大説明図である。
【図３】缶本体の胴体部に各層が順次積層された状態を示す説明用断面図である。
【図４】図１のＡ−Ａ線に沿う半断面図である。
【図５】この発明の第２の実施の形態に係る缶を示す正面図である。
【図６】缶本体の胴体部に設けられた線を示す拡大説明図である。
【図７】図５のＢ−Ｂ線に沿う半断面図である。
【図８】この発明の第３の実施の形態に係る正面図である。
【図９】（ａ）は缶本体の胴体部に設けられた凹を示す拡大説明図、（ｂ）は同じく胴体部に設けられた線を示す拡大説明図である。
【図１０】図８のＣ−Ｃ線に沿う半断面の拡大図である。
【図１１】この発明の第４の実施の形態に係る缶を示す正面図である。
【図１２】缶本体の胴体部に設けられた線及び凹を示す拡大説明図である。
【図１３】図１１のＤ−Ｄ線に沿う半断面の拡大図である。
【符号の説明】
１    缶
２    缶本体
２ａ  缶胴部
４、４１、４２、４３    凹
４ａ    膨出円弧部
４ｂ    凹状円弧部
５、５１、５２、５３    線
５ａ、５１ａ  谷側
５ｂ、５１ｂ  山側
５２ａ    頂部
４１ｂ、４１ｃ、５２ｂ、５２ｃ    頂部を挟む二辺
５４、５５    二重の矩形線
５６    包囲線
６    格子
【図１】
2005075354.tif 000003
【図２】
2005075354.tif 000004
【図３】
2005075354.tif 000005
【図４】
2005075354.tif 000006
【図５】
2005075354.tif 000007
【図６】
2005075354.tif 000008
【図７】
2005075354.tif 000009
【図８】
2005075354.tif 000010
【図９】
2005075354.tif 000011
【図１０】
2005075354.tif 000012
【図１１】
2005075354.tif 000013
【図１２】
2005075354.tif 000014
【図１３】
2005075354.tif 000015